(57)【要約】      （修正有）【課題】階段側部に壁紙を貼着する際などのように、先細り部分の入隅部の壁紙の裁断に際しても、入隅部の端部まで、把手部が干渉せず、正確に壁紙を切断するために当て定規として使用でき、作業性を損なわない新たな構造の壁紙裁断用地ベラを提供する。【解決手段】把手部１１と、壁紙を壁面に押さえつけながらカッターナイフの刃先を案内可能な直線状のエッジ部を備えたヘラ板部１２とを有する地ベラにおいて、ヘラ板部１２は第１のエッジ部１３ａとこの第１のエッジ部１３ａに対して４５°以下の角度で交差する第２のエッジ部１３ｂとを備え、把手部は第１のエッジ部１３ａと第２のエッジ部１３ｂとが交差する先端位置に対向するヘラ板部１２の後端側に設けられている。【選択図】図１
0003176498.tif 000002
【実用新案登録請求の範囲】
【請求項１】
把手部と、壁紙を壁面に押さえつけながらカッターナイフの刃先を案内可能な直線状のエッジ部を備えたヘラ板部とを有する地ベラにおいて、
前記ヘラ板部は、第１のエッジ部とこの第１のエッジ部に対して４５°以下の角度で交差する第２のエッジ部とを備え、
前記把手部は、前記第１のエッジ部と第２のエッジ部とが交差する先端位置に対向するヘラ板部の後端側に設けられていることを特徴とする壁紙裁断用地ベラ。
【請求項２】
把手部と、壁紙を壁面に押さえつけながらカッターナイフの刃先を案内可能な直線状のエッジ部を備えたヘラ板部とを有する地ベラにおいて、
前記ヘラ板部は、第１のエッジ部とこの第１のエッジ部に対して４５°以下の角度で交差する第２のエッジ部とを備え、
前記把手部は、前記第１のエッジ部と第２のエッジ部とが交差する先端位置に対向するヘラ板部の後端側に設けられ、
前記把手部が前記ヘラ板部の何れか一方のエッジ部の直線方向に平行に設けられていることを特徴とする壁紙裁断用地ベラ。
【請求項３】
把手部と、壁紙を壁面に押さえつけながらカッターナイフの刃先を案内可能な直線状のエッジ部を備えたヘラ板部とを有する地ベラにおいて、
前記ヘラ板部は、第１のエッジ部とこの第１のエッジ部に対して４５°以下の角度で交差する第２のエッジ部とを備え、
前記把手部は、前記第１のエッジ部と第２のエッジ部とが交差する先端位置に対向するヘラ板部の後端側に設けられ、
前記ヘラ板部の第１のエッジ部と第２のエッジ部とが、前記先端位置を通過して交差角を二分する対称線に対して対称に配置され、
前記把手部が前記対称線に沿って設けられていることを特徴とする壁紙裁断用地ベラ。
【請求項４】
把手部と、壁紙を壁面に押さえつけながらカッターナイフの刃先を案内可能な直線状のエッジ部を備えたヘラ板部とを有する地ベラにおいて、
前記ヘラ板部は、第１のエッジ部とこの第１のエッジ部に対して４５°以下の角度で交差する第２のエッジ部とを備え、
前記把手部は、前記第１のエッジ部と第２のエッジ部とが交差する先端位置に対向するヘラ板部の後端側に設けられ、
前記把手部が、前記ヘラ板部の板面高さ位置と相違する高さ位置に設けられていることを特徴とする壁紙裁断用地ベラ。
【考案の詳細な説明】
【技術分野】
【０００１】
本考案は、例えば内装工事の際に壁紙の継ぎ目又は入隅部分を切断する際にカッターナイフを案内する当て定規として用いる地ベラに関するものである。
【背景技術】
【０００２】
従来より、壁紙裁断用の地ベラは、内装工事の際に壁紙の継ぎ目又は入隅部分等を切断する際にカッターナイフを案内する当て定規として用いられたり、壁紙を壁面に貼着した際にしわ浮きが発生していた場合に、しわを延ばすために、ヘラ板のエッジ部で撫で押さえるものであるため、様々な形態の製品が市販されている。
【０００３】
図４及び図５は従来の種々の地ベラの構成を示す説明図である。ａ図は直線状のエッジ部が１つの一般的な地ベラ４１であり、ヘラ板４２の直線状のエッジ部４３にほぼ直交する方向に把手部４４が形成され、略Ｔ字状の外観を呈している。ｂ図は直線状のエッジ部の両側部も短いエッジ部として使用可能な地ベラ４６であり、ヘラ板４７の直線状の長尺なエッジ部４８の両側部には短尺のエッジ部４８ａ，４８ｂが配され、長尺なエッジ部４７にほぼ直交する方向に把手部４９が形成され、略Ｔ字状の外観を呈している。
【０００４】
ｃ図は階段廻りの作業に最適な階段用地ベラ５１であり、ヘラ板５２の直線状のエッジ部５３とその両側に短尺のエッジ部５３ａ，５３ｂが配されている。把手部５４はエッジ部５３にほぼ直交する方向に配されて略Ｔ字状の外観を呈している。一方の短尺エッジ部５３ａはエッジ部５３に対して、先端角度を４０°として、階段廻りのような角度の狭い箇所の作業にも対応可能となっている。ｄ図は窓枠廻り等の地ベラが入り難い部分に使用可能なミニ地ベラ５６であり、把手部５９と対向位置のヘラ板５７には、直線状の短尺なエッジ部５８が形成され、略Ｔ字状の外観を呈している。
【０００５】
ｅ図は窓枠廻り等の狭い部分の作業に最適な地ベラ５１であり、ヘラ板５２の直線状の長尺なエッジ部５３の両端側に中尺なエッジ部５３ａと短尺なエッジ部５３ｂとを備えている。把手部５４はエッジ部５３にほぼ直交する方向に配されて略Ｔ字状の外観を呈している。ｆ図は地ベラ５６であり、略等脚台形状のヘラ板５７の下底部分にエッジ板５８が配され、ヘラ板５７の上底部分を覆うように把手部５９が配される。ヘラ板５７には一点鎖線で示した箇所６０を図面の表面から裏面方向に断面が「く」の字状に曲折されており、入隅や狭い場所等の通常の地ベラが入り難い箇所の作業に最適な形状である。
【０００６】
これらの地ベラは、例えば図４では、定規部分の巾が１５０ｍｍから３００ｍｍ程度であり、持ち手の中心線に対して定規の部分が垂直に近い形状のものが、広く使用されてきた。
【０００７】
具体的には、図４のａ図やｂ図の地ベラでは、上下の壁紙が重なり合うジョイント部を仕上げるために、隣接する壁紙の端部同士を数センチ上下に重ね合わせた後にヘラ板の直線状のエッジ部を押付けながら、当て定規のように直線状のエッジ部に沿ってカッターナイフの刃先を移動させて、壁紙を重ね切断した後、壁紙の余剰部分を取り除き、重ね切断した壁紙同士を突き合わせて貼着したり（例えば、特許文献１参照）、入隅部の立ち上がり部分にヘラ板のエッジ部を押付けながら、当て定規のように直線状のエッジ部に沿ってカッターナイフの刃先を移動させて、壁紙を切断する。
【０００８】
また、図４のｃ図のように、階段側面の鋭角な入隅に対応する製品として、定規として当てる部分の片側のみを４５°以下の鋭角にした製品も市販されている。
【０００９】
また、図５のｄ図、ｅ図、ｆ図のように、１５０ｍｍから３００ｍｍ程度の巾では当て定規として使用できない狭い部分の壁紙を切断可能とするために、当て定規部分の巾を１５０ｍｍ以下とし、持ち手の中心線に対して定規の部分が垂直に近い形状の、小型の地ベラが開発されてきた。
【先行技術文献】
【特許文献】
【００１０】
【特許文献１】実用新案登録第３１２２２３４号公報
【考案の概要】
【考案が解決しようとする課題】
【００１１】
しかしながら、従来の略Ｔ字状の地ベラにおいては、例えば階段側部に壁紙を貼着する際などのように、先細り部分の入隅部の壁紙の裁断に際しては、定規部分の巾を狭くしても、入隅の先端まで当てることができず、ヘラ板で入隅部に壁紙を押付ける際に交差する壁面に把手部が当たり、著しく作業性が損なわれる場合があった。詳しくは、例えば図４のｃ図に示した階段用地ベラにおいては、階段側面の鋭角な入隅部に対して把手部が壁面や見切り枠に干渉して入隅部の端部まで地ベラの先端をあてることができない課題があった。
【００１２】
本考案は、階段側部に壁紙を貼着する際などのように、先細り部分の入隅部の壁紙の裁断に際しても、入隅部の端部まで、把手部が干渉せず、正確に壁紙を切断するために当て定規として使用でき、作業性を損なわない新たな構造の壁紙裁断用地ベラを得ることを目的とする。
【課題を解決するための手段】
【００１３】
請求項１に記載された考案に係る壁紙裁断用地ベラは、把手部と、壁紙を壁面に押さえつけながらカッターナイフの刃先を案内可能な直線状のエッジ部を備えたヘラ板部とを有する地ベラにおいて、
前記ヘラ板部は、第１のエッジ部とこの第１のエッジ部に対して４５°以下の角度で交差する第２のエッジ部とを備え、
前記把手部は、前記第１のエッジ部と第２のエッジ部とが交差する先端位置に対向するヘラ板部の後端側に設けられていることを特徴とするものである。
【００１４】
請求項２に記載された考案に係る壁紙裁断用地ベラは、把手部と、壁紙を壁面に押さえつけながらカッターナイフの刃先を案内可能な直線状のエッジ部を備えたヘラ板部とを有する地ベラにおいて、
前記ヘラ板部は、第１のエッジ部とこの第１のエッジ部に対して４５°以下の角度で交差する第２のエッジ部とを備え、
前記把手部は、前記第１のエッジ部と第２のエッジ部とが交差する先端位置に対向するヘラ板部の後端側に設けられ、
前記把手部が前記ヘラ板部の何れか一方のエッジ部の直線方向に平行に設けられていることを特徴とするものである。
【００１５】
請求項３に記載された考案に係る壁紙裁断用地ベラは、把手部と、壁紙を壁面に押さえつけながらカッターナイフの刃先を案内可能な直線状のエッジ部を備えたヘラ板部とを有する地ベラにおいて、
前記ヘラ板部は、第１のエッジ部とこの第１のエッジ部に対して４５°以下の角度で交差する第２のエッジ部とを備え、
前記把手部は、前記第１のエッジ部と第２のエッジ部とが交差する先端位置に対向するヘラ板部の後端側に設けられ、
前記ヘラ板部の第１のエッジ部と第２のエッジ部とが、前記先端位置を通過して交差角を二分する対称線に対して対称に配置され、
前記把手部が前記対称線に沿って設けられていることを特徴とするものである。
【００１６】
請求項４に記載された考案に係る壁紙裁断用地ベラは、把手部と、壁紙を壁面に押さえつけながらカッターナイフの刃先を案内可能な直線状のエッジ部を備えたヘラ板部とを有する地ベラにおいて、
前記ヘラ板部は、第１のエッジ部とこの第１のエッジ部に対して４５°以下の角度で交差する第２のエッジ部とを備え、
前記把手部は、前記第１のエッジ部と第２のエッジ部とが交差する先端位置に対向するヘラ板部の後端側に設けられ、
前記把手部が、前記ヘラ板部の板面高さ位置と相違する高さ位置に設けられていることを特徴とするものである。
【考案の効果】
【００１７】
本考案は、階段側部に壁紙を貼着する際などのように、先細り部分の入隅部の壁紙の裁断に際しても、入隅部の端部まで、把手部が干渉せず、正確に壁紙を切断するために当て定規として使用でき、作業性を損なわない新たな構造の壁紙裁断用地ベラを得ることができるという効果がある。
【図面の簡単な説明】
【００１８】
【図１】本考案の一実施例の壁紙裁断用地ベラの構成を示す説明図であり、ａ図は平面図、ｂ図は正面図、ｃ図は底面図、ｄ図は右側面図、ｅ図は左側面図である。
【図２】本考案の別の実施例の壁紙裁断用地ベラの構成を示す説明図であり、ａ図は平面図、ｂ図は正面図、ｃ図は右側面図、ｄ図は左側面図である。
【図３】本考案の更に別の実施例の壁紙裁断用地ベラの構成を示す説明図であり、ａ図は平面図、ｂ図は正面図、ｃ図は右側面図、ｄ図は左側面図である。
【図４】従来の地ベラの構成を示す説明図である。
【図５】従来の別の地ベラの構成を示す説明図である。
【考案を実施するための形態】
【００１９】
本考案においては、把手部と、壁紙を壁面に押さえつけながらカッターナイフの刃先を案内可能な直線状のエッジ部を備えたヘラ板部とを有する地ベラにおいて、ヘラ板部は第１のエッジ部とこの第１のエッジ部に対して４５°以下の角度で交差する第２のエッジ部とを備え、把手部は第１のエッジ部と第２のエッジ部とが交差する先端位置に対向するヘラ板部の後端側に設けられているものである。これにより、階段側部に壁紙を貼着する際などのように、先細り部分の入隅部の壁紙の裁断に際しても作業性を損なうことはない。
【００２０】
本考案におけるヘラ板部は、第１のエッジ部と第２のエッジ部とが４５°以下、好ましくは４０°以下、３０°以上の角度で交差するように形成されていればよい。第１及び第２のエッジ部は共に直線状の部分でカッターナイフの刃先を案内できるような厚みと堅さを備えればよい。
【００２１】
好ましいヘラ板部としては、ステンレス、メッキ鋼板やチタン等の金属製、セラミック製、又は、硬質な樹脂製であり、これらを一部組み合わせたものも使用可能である。特にエッジ部はカッターナイフの刃先が案内されるため、樹脂製のヘラ板部のエッジ部を金属又はセラミックで覆うように組み合わせたもの、金属製のヘラ板部のエッジ部をセラミックで覆うように組み合わせたもの等が選択可能である。尚、ヘラ板部材の厚みは、材質や大きさに応じて適宜決定される。例えば金属製のものであれば、０．６ｍｍ〜２ｍｍから選択される。
【００２２】
本考案の第１のエッジ部と第２のエッジ部とは、壁紙を壁面に押さえつけながらカッターナイフの刃先を案内可能な直線状の縁部が備わっていればよく、両者が交差する箇所をあまりにも鋭利にすると作業者や作業箇所を傷付ける可能性があるため、交差する切っ先を丸めたり、面取りしても良い。丸め半径又は切り取り半径は大きくするとカッターナイフでの切断に際して、作業性が損なわれる場合があるため、０．５ｍｍから３ｍｍ程度とする。
【００２３】
尚、各々のエッジ部の縁部の刃先については、ヘラ板面部に対して垂直にカットされているものが主ではあるが、壁紙を所望の位置でしっかりと押さえるために刃先を尖らせる加工を施したものも可能であるが、鋭く尖らせたものは作業者や作業箇所を傷付ける可能性があるため、丸く刃先をつぶす加工を施したものが好適である。
【００２４】
本考案の把手部は、作業者が握りやすい形状、厚み、材質であればよく、好ましくは、作業者が片手で持って操作ができるものであれば良い。この把手部は、第１のエッジ部と第２のエッジ部とが交差する先端位置に対向するヘラ板部の後端側に設けられたものであれば良い。これにより、階段側部に壁紙を貼着する際などのように、先細り部分の入隅部の壁紙の裁断に際しても、入隅部の端部まで、把手部が干渉せず、正確に壁紙を切断するために当て定規として使用でき、作業性を損なわない利点がある。
【００２５】
好ましい態様の把手部は、ヘラ板部の何れか一方のエッジ部の直線方向に平行に設けられている。これにより、当て定規として使用する際には、作業者の力が他方のエッジ部に入りやすく、作業性が向上する。
【００２６】
また、他の好ましい態様の把手部は、ヘラ板部の第１のエッジ部と第２のエッジ部とが先端位置を通過して交差角を二分する対称線に対して対称に配置され、把手部が対称線に沿って設けられている。これにより、対称な第１のエッジ部と第２のエッジ部とが同等に使用できるため、入隅部の方向によって何れかのエッジ部を使用できるため、作業性が向上する。
【００２７】
更に、他の好ましい態様の把手部は、把手部がヘラ板部の板面高さ位置と相違する高さ位置に設けられている。これにより、把手部が入隅部の壁面高さと相違する高さ位置となり、取り回しが容易となり、作業性が向上する。
【実施例】
【００２８】
図１は本考案の一実施例の壁紙裁断用地ベラの構成を示す説明図であり、ａ図は平面図、ｂ図は正面図、ｃ図は底面図、ｄ図は右側面図、ｅ図は左側面図である。尚、背面図は正面図と対称に現れる。
【００２９】
図１に示す通り、本実施例の壁紙裁断用地ベラ１０は、把手部１１と、壁紙を壁面に押さえつけながらカッターナイフの刃先を案内可能な直線状の第１エッジ部１３ａを備えたヘラ板部１２とを有する。ヘラ板部１２は、第１のエッジ部１３ａとこの第１のエッジ部１３ａに対して４０°の角度で交差する第２のエッジ部１３ｂとを備える。把手部１１は、第１のエッジ部１３ａと第２のエッジ部１３ｂとが交差する先端位置に対向するヘラ板部１２の後端側に設けられている。
【００３０】
図１においては、把手部１１がヘラ板部１２の何れか一方のエッジ部の直線方向に平行に設けられている。これにより、階段側部に壁紙を貼着する際などのように、先細り部分の入隅部の壁紙の裁断に際しても作業性を損なうことはなく、当て定規として使用する際には、作業者の力が他方のエッジ部に入りやすく、作業性が向上する。
【００３１】
図２は本考案の別の実施例の壁紙裁断用地ベラの構成を示す説明図であり、ａ図は平面図、ｂ図は正面図、ｃ図は右側面図、ｄ図は左側面図である。尚、底面図は平面図と同一に現れ、背面図は正面図と対称に現れる。
【００３２】
図２に示す通り、本実施例の壁紙裁断用地ベラ２０は、把手部２１と、壁紙を壁面に押さえつけながらカッターナイフの刃先を案内可能な直線状のエッジ部を備えたヘラ板部２２とを有する。ヘラ板部２２のエッジ部は、第１のエッジ部２３ａとこの第１のエッジ部２３ａに対して４０°の角度で交差する第２のエッジ部２３ｂとを備える。把手部２１は、第１のエッジ部２３ａと第２のエッジ部２３ｂとが交差する先端位置に対向するヘラ板部の後端側に設けられている。
【００３３】
ヘラ板部２２の第１のエッジ部２３ａと第２のエッジ部２３ｂとが、先端位置を通過して交差角を二分する対称線に対して対称に配置され、把手部２１が対称線に沿って設けられている。これにより、階段側部に壁紙を貼着する際などのように、先細り部分の入隅部の壁紙の裁断に際しても作業性を損なうことはなく、対称な第１のエッジ部と第２のエッジ部とが同等に使用できるため、入隅部の方向によって何れかのエッジ部を使用できるため、作業性が向上する。
【００３４】
図３は本考案の更に別の実施例の壁紙裁断用地ベラの構成を示す説明図であり、ａ図は平面図、ｂ図は正面図、ｃ図は背面図、ｄ図は右側面図、ｅ図は左側面図である。尚、底面図は平面図と同一に現れる。
【００３５】
前述の図２では、把手部２１はヘラ板部２２の板面高さと同じ高さ位置に設けられているが、図３の実施例では、ヘラ板部３２の把手部３１に至る経路を曲折して、ヘラ板部３２の板面高さ位置と相違する高さ位置に設けている。即ち、図３に示す通り、本実施例の壁紙裁断用地ベラ３０は、把手部３１と、壁紙を壁面に押さえつけながらカッターナイフの刃先を案内可能な直線状のエッジ部を備えたヘラ板部３２とを有する。
【００３６】
ヘラ板部３２のエッジ部は、第１のエッジ部３３ａとこの第１のエッジ部３３ａに対して４０°の角度で交差する第２のエッジ部３３ｂとを備え、これら第１のエッジ部３３ａと第２のエッジ部３３ｂとが、先端位置を通過して交差角を二分する対称線に対して対称に配置される。把手部３１は、第１のエッジ部３３ａと第２のエッジ部３３ｂとが交差する先端位置に対向するヘラ板部３２の後端が２回曲折されて、ヘラ板部３２の板面高さ位置と相違する高さ位置に設けられている。
【００３７】
この場合には、把手部が入隅部の壁面高さと相違する高さ位置となり、取り回しが容易となり、作業性が向上する。
【符号の説明】
【００３８】
１０  …壁紙裁断用地ベラ、
１１  …把手部、
１２  …ヘラ板部、
１３ａ…第１のエッジ部、
１３ｂ…第２のエッジ部、
２０  …壁紙裁断用地ベラ、
２１  …把手部、
２２  …ヘラ板部、
２３ａ…第１のエッジ部、
２３ｂ…第２のエッジ部、
３０  …壁紙裁断用地ベラ、
３１  …把手部、
３２  …ヘラ板部、
３３ａ…第１のエッジ部、
３３ｂ…第２のエッジ部、
【図１】
0003176498.tif 000003
【図２】
0003176498.tif 000004
【図３】
0003176498.tif 000005
【図４】
0003176498.tif 000006
【図５】
0003176498.tif 000007